【手続補正書】
【提出日】平成21年1月8日(2009.1.8)
【手続補正１】
【補正対象書類名】特許請求の範囲
【補正対象項目名】全文
【補正方法】変更
【補正の内容】
【特許請求の範囲】
【請求項１】
ハブ近位端及びハブ遠位端を含む、バルーンカテーテルと一緒に使用するためのハブアセンブリであって；
膨脹管腔が、該ハブ近位端から該ハブ遠位端へと延在しかつハブ壁部分により画定され；該ハブ壁部分が少なくとも１つの易破壊性部分を含む、ハブアセンブリ。
【請求項２】
前記ハブアセンブリが、前記ハブ近位端から前記遠位端へと延在する、ガイドワイヤ受容管腔をさらに含む、請求項１に記載のハブアセンブリ。
【請求項３】
近位端及び遠位端、並びに該近位端からその近位端に対して遠位の点へと延在する膨張管腔を有するカテーテルシャフトをさらに含み、該カテーテルシャフトの近位端が前記ハブアセンブリに接続され、該カテーテルシャフトの膨張管腔が前記ハブアセンブリの膨張管腔と流体が連通する状態にあり、内部空間を有する膨張可能なバルーンが該カテーテルシャフトの遠位端に位置し、該膨脹管腔が該膨張可能なバルーンの内部空間と流体が連通する状態にある、請求項１又は２に記載のハブアセンブリ。
【請求項４】
前記少なくとも１つの易破壊性部分が、プラスチック、金属、セラミック、及び複合材料からなる群から選択される材料を含むディスク材料を含んでなる、請求項１〜３のいずれか１つに記載のハブアセンブリ。
【請求項５】
前記金属が、アルミニウム、銅、ニッケル、遷移金属、鉄、ベリリウム銅、コバルトクロム、並びにこれら材料の混合物及び合金からなる群から選択される、請求項４に記載のハブアセンブリ。
【請求項６】
前記金属がステンレススチールを含む、請求項５に記載のハブアセンブリ。
【請求項７】
前記膨張可能なバルーンがポリマー材料を含む、請求項３に記載のハブアセンブリ。
【請求項８】
前記ポリマー材料が、ポリテトラフルオロエチレン、ポリオレフィン共重合体、ポリエステル、ポリエチレンテレフタレート、ポリエチレン、ポリエーテルブロックアミド、ポリアミド、ポリイミド、ラテックス、ウレタン、及びこれらの組み合わせ又はブレンドからなる群から選択される材料を含む、請求項７に記載のハブアセンブリ。
【請求項９】
前記ポリテトラフルオロエチレンが延伸ポリテトラフルオロエチレンを含む、請求項８に記載のハブアセンブリ。
【請求項１０】
ステントが前記膨張可能なバルーン上に取り付けられている、請求項３に記載のハブアセンブリ。
【請求項１１】
前記膨張可能なバルーンが拡張バルーンである、請求項３に記載のハブアセンブリ。
【請求項１２】
前記膨張可能なバルーンが閉塞バルーンである、請求項３に記載のハブアセンブリ。
【請求項１３】
前記カテーテルシャフトが、前記遠位端から前記ハブアセンブリの近位の点へと延在するガイドワイヤ受容管腔をさらに含む、請求項３に記載のハブアセンブリ。
【請求項１４】
近位端及び遠位端と、該近位端からその近位端に対して遠位の点へと延在する膨張管腔と、ガイドワイヤ受容管腔とを有するカテーテルシャフトをさらに含み、該カテーテルシャフトの近位端が前記ハブアセンブリに接続され、該カテーテルシャフトの膨張管腔が前記ハブアセンブリの膨張管腔と流体が連通する状態にあり、内部空間を有する膨張可能なバルーンが前記カテーテルシャフトの遠位端に位置し、該膨脹管腔が該膨張可能なバルーンの内部空間と流体が連通する状態にある、請求項２に記載のハブアセンブリ。
【請求項１５】
前記カテーテルシャフトのガイドワイヤ受容管腔が、前記カテーテルシャフトの遠位端から前記膨張可能なバルーンに対して近位の点へと延在する、請求項１４に記載のハブアセンブリ。
【請求項１６】
前記カテーテルシャフトのガイドワイヤ受容管腔が、前記カテーテルの近位端へと延在し、前記ハブアセンブリの前記ガイドワイヤ受容管腔と流体が連通する状態にある、請求項１５に記載のハブアセンブリ。
【請求項１７】
近位端及び遠位端を有するカテーテルシャフトを含むカテーテルアセンブリであって、膨脹管腔が、該近位端から該遠位端へと延在し、かつ該遠位端に位置する膨張可能なバルーンの内部空間と流体が連通する状態にあり、該膨脹管腔が壁部分によって画定され、手術が患者の脈管構造内で行われているときに、少なくとも１つの易破壊性部分がガイドカテーテルの内側に残存するように、前記膨張可能なバルーンに十分近接して配置された該少なくとも１つの易破壊性部分が該壁部分に含まれる、カテーテルアセンブリ。
【請求項１８】
前記カテーテルシャフトが、前記遠位端から前記膨張可能な部材に対して近接する点へと延在するガイドワイヤ受容管腔をさらに含む、請求項１７に記載のカテーテルアセンブリ。
【請求項１９】
前記少なくとも１つの易破壊性部分が、プラスチック、金属、セラミック、及び複合材料からなる群から選択される材料を含むディスク材料を含んでなる、請求項１７に記載のカテーテルアセンブリ。
【請求項２０】
前記金属が、アルミニウム、銅、ニッケル、遷移金属、鉄、ベリリウム銅、コバルトクロム、並びにこれらの混合物及び合金からなる群から選択される、請求項１９に記載のカテーテルアセンブリ。
【請求項２１】
前記金属がステンレススチールを含む、請求項２０に記載のカテーテルアセンブリ。
【請求項２２】
前記膨張可能なバルーンがポリマー材料を含む、請求項１７に記載のカテーテルアセンブリ。
【請求項２３】
前記ポリマー材料が、ポリテトラフルオロエチレン、ポリオレフィン共重合体、ポリエステル、ポリエチレンテレフタレート、ポリエチレン、ポリエーテルブロックアミド、ポリアミド、ポリイミド、ラテックス、ウレタン、及びこれらの組み合わせ又はブレンドからなる群から選択される材料を含む、請求項２２に記載のカテーテルアセンブリ。
【請求項２４】
前記ポリテトラフルオロエチレンが延伸ポリテトラフルオロエチレンを含む、請求項２３に記載のカテーテルアセンブリ。
【請求項２５】
ステントが前記膨張可能なバルーン上に取り付けられている、請求項１７に記載のカテーテルアセンブリ。
【請求項２６】
前記膨張可能なバルーンが拡張バルーンである、請求項１７に記載のカテーテルアセンブリ。
【請求項２７】
前記膨張可能なバルーンが閉塞バルーンである、請求項１７に記載のカテーテルアセンブリ。
【請求項２８】
前記カテーテルシャフトが、前記遠位端から前記ハブアセンブリの近位の点へと延在するガイドワイヤ受容管腔をさらに含む、請求項１７に記載のカテーテルアセンブリ。
【請求項２９】
前記カテーテルシャフトが、前記遠位端から前記近位端へと延在するガイドワイヤ受容管腔を含み、該ガイドワイヤ受容管腔が前記ハブアセンブリのガイドワイヤ受容管腔と流体が連通する状態にある、請求項１８に記載のカテーテルアセンブリ。
【請求項３０】
近位端及び遠位端、並びに該近位端から該遠位端へと延在する膨脹管腔を有するハブアセンブリと；
近位端及び遠位端、並びに該近位端からその近位端に対して遠位の点へと延在する膨張管腔を有するカテーテルシャフトであって、該膨脹管腔が、該遠位端に位置する膨張可能な部材の内部空間と流体が連通する状態にある、カテーテルシャフトと；
壁部分によって画定された膨脹管腔を有するハブ延長部品であって、該壁部分がその中に少なくとも１つの易破壊性部分を有し、該ハブアセンブリの膨脹管腔が該ハブ延長部品の膨脹管腔と流体が連通する状態にあるように、該ハブ延長部品が該ハブアセンブリに対して位置している、ハブ延長部品と
を含む、カテーテルアセンブリ。
【請求項３１】
前記ハブ延長部品が、前記ハブアセンブリに解放可能に取り付けられている、請求項３０に記載のカテーテルアセンブリ。
【請求項３２】
前記ハブアセンブリが、前記ハブ近位端から前記遠位端へと延在するガイドワイヤ受容管腔をさらに含む、請求項３０に記載のカテーテルアセンブリ。
【請求項３３】
前記少なくとも１つの易破壊性部分が、プラスチック、金属、セラミック、及び複合材料からなる群から選択される材料を含むディスク材料を含んでなる、請求項３０に記載のカテーテルアセンブリ。
【請求項３４】
前記金属が、アルミニウム、銅、ニッケル、遷移金属、鉄、ベリリウム銅、コバルトクロム、並びにこれら材料の混合物及び合金からなる群から選択される、請求項３３に記載のカテーテルアセンブリ。
【請求項３５】
前記金属がステンレススチールを含む、請求項３４に記載のカテーテルアセンブリ。
【請求項３６】
前記膨張可能なバルーンがポリマー材料を含む、請求項３０に記載のカテーテルアセンブリ。
【請求項３７】
前記ポリマー材料が、ポリテトラフルオロエチレン、ポリオレフィン共重合体、ポリエステル、ポリエチレンテレフタレート、ポリエチレン、ポリエーテルブロックアミド、ポリアミド、ポリイミド、ラテックス、ウレタン、及びこれらの組み合わせ又はブレンドからなる群から選択される材料を含む、請求項３６に記載のカテーテルアセンブリ。
【請求項３８】
前記ポリテトラフルオロエチレンが延伸ポリテトラフルオロエチレンを含む、請求項３７に記載のカテーテルアセンブリ。
【請求項３９】
ステントが前記膨張可能なバルーン上に取り付けられている、請求項３０に記載のカテーテルアセンブリ。
【請求項４０】
前記膨張可能なバルーンが拡張バルーンである、請求項３０に記載のカテーテルアセンブリ。
【請求項４１】
前記膨張可能なバルーンが閉塞バルーンである、請求項３０に記載のカテーテルアセンブリ。
【請求項４２】
前記カテーテルシャフトが、前記遠位端から前記ハブアセンブリの近位の点へと延在するガイドワイヤ受容管腔をさらに含む、請求項３０に記載のカテーテルアセンブリ。
【請求項４３】
前記カテーテルシャフトが、前記遠位端から前記近位端へと延在するガイドワイヤ受容管腔を含み、該ガイドワイヤ受容管腔が前記ハブアセンブリのガイドワイヤ受容管腔と流体が連通する状態にある、請求項３０に記載のカテーテルアセンブリ。
【請求項４４】
カテーテル最小定格破裂強度が、前記少なくとも１つの易破壊性部分を備えない同等のカテーテルアセンブリと比較して、前記少なくとも１つの易破壊性部分によって増加している、請求項１７に記載のカテーテルアセンブリ。
【請求項４５】
カテーテル最小定格破裂強度が、前記少なくとも１つの易破壊性部分を備えない同等のカテーテルアセンブリと比較して、前記少なくとも１つの易破壊性部分によって増加している、請求項３０に記載のカテーテルアセンブリ。